(57)【要約】【課題】視認性及び破断性に優れた破断誘導部を有し、着用状態から容易に破断開放し得るパンツ型着用物品を提供すること。【解決手段】外装体３における着用者の胴回りに配される部分に、ウエスト開口部ＷＨからレッグ開口部ＬＨに亘って破断誘導切込み部４が設けられており、破断誘導切込み部４は、外装体３を厚み方向に貫通する複数の孔５が縦方向Ｘに１つの列をなすように配されて形成されている。複数の孔５は、それぞれ、平面視において鋭角５αを２個以上有する形状をなし、且つ縦方向に隣接する任意の２個の孔５，５が、一方の鋭角５αと他方の鋭角５αとが近接するように配されることによって、破断誘導切込み部４に鋭角どうしの近接部分５０が複数形成されており、その複数の鋭角近接部分５０を結ぶ仮想線Ｌｘが縦方向Ｘに延びている。【選択図】図４
2015092957.tif 000002
【特許請求の範囲】
【請求項１】
着用者の腹側に配される腹側部及び背側に配される背側部とそれらの間に位置する股下部とを有すると共に、該腹側部から該股下部を介して該背側部に延びる縦方向とこれに直交する横方向とを有し、且つ
吸収性本体と、該吸収性本体の非肌対向面側に配されて該吸収性本体を固定している外装体とを備え、該外装体における前記腹側部を構成する腹側外装体及び前記背側部を構成する背側外装体それぞれの縦方向に沿う両側縁部どうしが接合されて、一対のサイドシール部、ウエスト開口部及び一対のレッグ開口部が形成されているパンツ型着用物品であって、
前記外装体における着用者の胴回りに配される部分に、前記ウエスト開口部から前記レッグ開口部に亘って破断誘導切込み部が設けられており、該破断誘導切込み部は、該外装体を厚み方向に貫通する複数の孔が縦方向に１つの列をなすように配されて形成されており、
複数の前記孔は、それぞれ、平面視において鋭角を２個以上有する形状をなし、且つ縦方向に隣接する任意の２個の前記孔が、一方の鋭角と他方の鋭角とが近接するように配されることによって、前記破断誘導切込み部に鋭角どうしの近接部分が複数形成されており、その複数の鋭角どうしの近接部分を結ぶ仮想線が縦方向に延びているパンツ型着用物品。
【請求項２】
前記鋭角どうしの近接部分において、一方の鋭角と他方の鋭角とが相対向している請求項１記載のパンツ型着用物品。
【請求項３】
前記外装体は、前記孔及び前記鋭角どうしの近接部分を横断する弾性部材を含まない請求項１又は２記載のパンツ型着用物品。
【請求項４】
複数の前記孔は縦方向に千鳥状に配されている請求項１〜３の何れか一項に記載のパンツ型着用物品。
【請求項５】
前記腹側外装体は、前記吸収性本体の縦方向端部の周縁から延出する延出部を有し、前記破断誘導切込み部は、該延出部における、該吸収性本体の縦方向に沿う両側縁の延長線に挟まれた部分から、両延長線を跨いで一対の前記レッグ開口部に向かうように横方向に一対設けられている請求項１〜４の何れか一項に記載のパンツ型着用物品。
【請求項６】
前記破断誘導切込み部を形成する前記孔の列の横方向の両外方に、前記外装体に接着剤を線状に塗布してなる接着剤塗布部が、縦方向に延びるように設けられている請求項１〜５の何れか一項に記載のパンツ型着用物品。
【請求項７】
前記外装体における複数の前記孔の周囲に接着剤が塗布されている請求項１〜５の何れか一項に記載のパンツ型着用物品。
【請求項８】
前記外装体における着用者の胴回りに配される部分に、横方向に並列する一対の前記破断誘導切込み部に挟まれた切り取り領域が設けられており、該切り取り領域の縦方向端部を手指で摘んで引っ張ることにより、該切り取り領域を該外装体から切り離し可能になされている請求項１〜７の何れか一項に記載のパンツ型着用物品。
【請求項９】
一対の前記破断誘導切込み部のうちの一方は、前記ウエスト開口部と前記レッグ開口部との間の全長に亘って設けられているが、他方は、該ウエスト開口部及び該レッグ開口部の何れか一方に達していない請求項８記載のパンツ型着用物品。
【請求項１０】
前記切り取り領域に前記サイドシール部が存している請求項８又は９記載のパンツ型着用物品。
【請求項１１】
前記切り取り領域の縦方向端部又はその近傍に、該領域を手指で引っ張る際に摘み部として機能する部材が設けられている請求項８〜１０の何れか一項に記載のパンツ型着用物品。
【発明の詳細な説明】
【技術分野】
【０００１】
本発明は、パンツ型使い捨ておむつ等のパンツ型着用物品に関する。
【背景技術】
【０００２】
パンツ型使い捨ておむつとしては、従来、腹側部から股下部を介して背側部に延びる縦方向とこれに直交する横方向とを有し、吸収性本体と、該吸収性本体の非肌対向面側に配されて該吸収性本体を固定している外装体とを備え、且つ前身頃における外装体の左右両側縁と後身頃における外装体の左右両側縁とが接合されて一対のサイドシール部、ウエスト開口部及び一対のレッグ開口部が形成されているものが汎用されている。このようなパンツ型使い捨ておむつは、サイドシール部を破りこの部分を切り離して脱がせられるようになっている。このようにすることで、例えば乳幼児や老人等の要介護者が排便をしたときに、その汚物を腿から足先に引きずって付着させるようなことなく、おむつを破断開放し、そのまま立位や仰向けに寝た状態で股間から引き離し脱がすことができる。
【０００３】
特許文献１には、サイドシール部の引き裂き性を高めたパンツ型使い捨ておむつとして、外装体におけるサイドシール部に挟持接合された部分の近傍に破断誘導切込構造を設けたものが開示されている。この破断誘導切込構造は、外装体のウエスト開口部側端部（上端部）に形成された上端部切込みと、ミシン目状（略矩形形状）の中央部切込みが非切込み部を介してレッグ開口部側端部（下端部）に向けて間欠的に連設された部分と、該レッグ開口部側端部に形成された下端部切込みとを有しており、１つの直線状の基線上にある複数の切込み及び非切込み部から構成されている。
【０００４】
また特許文献２には、切断線に沿って容易に切断することができるパンツ型使い捨ておむつとして、腹側部、股下部及び背側部のうちの少なくとも１つにおける外装体に、複数の弱化線部が略平行に形成されてなる切断線部を形成したものが開示されている。特許文献２には、この弱化線部の形成方法として、外装体における該弱化線部の形成予定部位を線状に加熱する方法（例えばヒートシール）、該形成予定部位を断続的に切断してミシン目状に加工する方法、該形成予定部位を線状に超音波加工する方法（例えば超音波シール）が記載されている。
【先行技術文献】
【特許文献】
【０００５】
【特許文献１】特開２０１０−１３６７８７号公報
【特許文献２】特開２００６−１４１８５４号公報
【発明の概要】
【発明が解決しようとする課題】
【０００６】
特許文献１及び２に記載の如き、破断誘導部がミシン目状に加工されたパンツ型使い捨ておむつは、そのミシン目が細かく小さいため、破断誘導部を見つけ難く、また該破断誘導部での破断性にも改善の余地があった。
【０００７】
従って本発明の課題は、視認性及び破断性に優れた破断誘導部を有し、着用状態から容易に破断開放し得るパンツ型着用物品を提供することにある。
【課題を解決するための手段】
【０００８】
本発明は、着用者の腹側に配される腹側部及び背側に配される背側部とそれらの間に位置する股下部とを有すると共に、該腹側部から該股下部を介して該背側部に延びる縦方向とこれに直交する横方向とを有し、且つ吸収性本体と、該吸収性本体の非肌対向面側に配されて該吸収性本体を固定している外装体とを備え、該外装体における前記腹側部を構成する腹側外装体及び前記背側部を構成する背側外装体それぞれの縦方向に沿う両側縁部どうしが接合されて、一対のサイドシール部、ウエスト開口部及び一対のレッグ開口部が形成されているパンツ型着用物品であって、前記外装体における着用者の胴回りに配される部分に、前記ウエスト開口部から前記レッグ開口部に亘って破断誘導切込み部が設けられており、該破断誘導切込み部は、該外装体を厚み方向に貫通する複数の孔が縦方向に１つの列をなすように配されて形成されており、複数の前記孔は、それぞれ、平面視において鋭角を２個以上有する形状をなし、且つ縦方向に隣接する任意の２個の前記孔が、一方の鋭角と他方の鋭角とが近接するように配されることによって、前記破断誘導切込み部に鋭角どうしの近接部分が複数形成されており、その複数の鋭角どうしの近接部分を結ぶ仮想線が縦方向に延びているパンツ型着用物品を提供するものである。
【発明の効果】
【０００９】
本発明によれば、視認性及び破断性に優れた破断誘導部を有し、着用状態から容易に破断開放し得るパンツ型着用物品が提供される。
【図面の簡単な説明】
【００１０】
【図１】図１は、本発明のパンツ型着用物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図１に示すおむつを、一部（破断誘導切込み部）を省略して模式的に示す分解斜視図である。
【図４】図４は、図１に示すおむつにおける破断誘導切込み部の一部を示す図であり、該おむつの縦方向端部（ウエスト端部）における外装体の非肌対向面側（外面側）を模式的に示す拡大平面図である
【図５】図５は、本発明に係る破断誘導切込み部を形成する孔の他の実施形態を示す平面図である。
【図６】図６（ａ）〜図６（ｃ）は、それぞれ、本発明に係る破断誘導切込み部の他の実施形態を模式的に示す平面図である。
【図７】図７は、本発明に係る破断誘導切込み部の更に他の実施形態を模式的に示す平面図である。
【図８】図８（ａ）及び図８（ｂ）は、それぞれ、本発明に係る破断誘導切込み部の更に他の実施形態を模式的に示す平面図である。
【図９】図９は、本発明のパンツ型着用物品の他の実施形態の図２相当図である。
【図１０】図１０は、本発明のパンツ型着用物品の更に他の実施形態の図２相当図である。
【図１１】図１１は、本発明のパンツ型着用物品の更に他の実施形態の図２相当図である。
【図１２】図１２（ａ）は、本発明のパンツ型着用物品の更に他の実施形態の要部（破断誘導切込み部）を模式的に示す平面図、図１２（ｂ）は、図１２（ａ）に示す破断誘導切込み部にて外装体を破断した様子を示す模式的な平面図である。
【図１３】図１３（ａ）は、本発明のパンツ型着用物品の更に他の実施形態の要部（破断誘導切込み部）を模式的に示す平面図、図１３（ｂ）は、図１３（ａ）に示す破断誘導切込み部にて外装体を破断した様子を示す模式的な平面図である。
【図１４】図１４（ａ）は、本発明のパンツ型着用物品の更に他の実施形態の要部（破断誘導切込み部）を模式的に示す平面図、図１４（ｂ）は、図１４（ａ）に示す破断誘導切込み部にて外装体を破断した様子を示す模式的な平面図である。
【図１５】図１５（ａ）は、本発明のパンツ型着用物品の更に他の実施形態の要部（破断誘導切込み部）を模式的に示す平面図、図１５（ｂ）は、図１５（ａ）に示す破断誘導切込み部にて外装体を破断した様子を示す模式的な平面図である。
【図１６】図１６（ａ）は、本発明のパンツ型着用物品の更に他の実施形態の要部（破断誘導切込み部）を模式的に示す平面図、図１６（ｂ）は、図１６（ａ）に示す破断誘導切込み部にて外装体を破断した様子を示す模式的な平面図である。
【発明を実施するための形態】
【００１１】
以下本発明のパンツ型着用物品を、その好ましい実施形態に基づき図面を参照しながら説明する。本実施形態のパンツ型使い捨ておむつ１は、図１〜図３に示すように、吸収性本体２と、該吸収性本体２の非肌対向面側に配されて該吸収性本体２を固定している外装体３とを備えている。図２は、おむつ１の展開且つ伸長状態を示す展開平面図であるところ、この「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。本明細書において、肌対向面は、おむつ１及びその構成部材（例えば吸収性本体２）における、着用状態において着用者の肌側に向けられる面（相対的に着用者の肌に近い側）であり、非肌対向面は、おむつ１及びその構成部材における、着用状態において着用者の肌側とは反対側に向けられる面（相対的に着用者の肌から遠い側）である。
【００１２】
おむつ１は、着用状態において着用者の腹側に配される腹側部Ａ、背側に配される背側部Ｃ、及びそれらの間に位置して着用者股間部に配される股下部Ｂを有していると共に、縦方向Ｘとこれに直交する横方向Ｙとを有している。おむつ１の縦方向Ｘは、腹側部Ａと背側部Ｃとの間を股下部Ｂを介して延びる方向である。股下部Ｂは、外装体３が配されていない領域である。
【００１３】
吸収性本体２は、図２及び図３に示すように、おむつ１の縦方向Ｘと同方向に長い矩形形状を有している。吸収性本体２は、その長手方向を、展開且つ伸長状態におけるおむつ１の縦方向Ｘに一致させて、外装体３の中央部に接着剤により接合されている。吸収性本体２は、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を有し、これら各部材が接着剤等の公知の接合手段により一体化されてなる。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマーの粒子を含んで構成される吸収性コアを有するものを用いることができ、該吸収性コアは、液透過性のコアラップシートで被覆されていても良い。
【００１４】
吸収性本体２の肌対向面における縦方向Ｘに沿う左右両側には、液抵抗性又は撥水性で且つ通気性のシート材から構成された側方カフス２４，２４が設けられている。各側方カフス２４の自由端部の近傍には糸状の側方カフス弾性部材２５が１本以上伸長状態で配されている。各側方カフス２４は、伸長状態で配された側方カフス弾性部材２５がおむつ１の着用状態において収縮することによって起立し、液の側方への流出を阻止する。
【００１５】
外装体３は、シート材３５，３６と、該シート材３５，３６に固定された複数本の外装体形成用弾性部材３３とを含んで構成されている。本実施形態における外装体３は、図１〜図３に示すように、着用時に着用者の腹側に配される（外装体３における腹側部Ａを構成する）腹側外装体３１と背側に配される（外装体３における背側部Ｃを構成する）背側外装体３２とに分割されている。即ち、本実施形態のパンツ型使い捨ておむつ１は、着用者の腹側に配される腹側外装体３１と、着用者の背側に配される背側外装体３２と、両外装体３１，３２に架け渡して固定された縦長の吸収性本体２とを備え、両外装体３１，３２それぞれの縦方向に沿う両側縁部３ｓ，３ｓどうしが接合されて一対のサイドシール部Ｓ，Ｓ、ウエスト開口部ＷＨ及び一対のレッグ開口部ＬＨ，ＬＨが形成されている。サイドシール部Ｓでは、腹側外装体３１と背側外装体３２とが、接着剤、ヒートシール、高周波シール、超音波シール等の公知の接合手段によって接合されている。
【００１６】
腹側外装体３１及び背側外装体３２は、それぞれ、その非肌対向面（おむつ１の外面）を形成する外層シート材３５と、該外層シート材３５の内面側に配された内層シート材３６と、両シート材３５，３６間に接着剤（図示せず）により固定された複数本の糸状又は帯状の弾性部材３３とを含んで構成されており、図２に示す如きおむつ１の展開状態において、横方向Ｙに長い矩形形状をなしている。両シート材３５，３６間は、所定部位において接着剤（図示せず）によって接合されている。腹側外装体３１及び背側外装体３２においては、それぞれ図２に示すように、複数本の弾性部材３３は、横方向Ｙに沿って略直線状に配され、横方向Ｙに伸長した状態で、縦方向Ｘに所定間隔を置いて配されている。外装体３を構成するシート材３５，３６としては、各種製法による不織布が好ましく用いられる。
【００１７】
外層シート材３５は、図３に示すように、その横方向Ｙの長さは内層シート材３６のそれと同じであるが、縦方向Ｘの長さは内層シート材３６のそれよりも長く、そのため、外層シート材３５は、両シート材３５，３６をそれらの縦方向Ｘの内方端３５ｂ，３６ｂが一致するように積層させた場合に、内層シート材３６の縦方向Ｘの外方端３６ａから本体長手方向Ｘの外方へ延出する、延出部３５Ｅを有している。腹側外装体３１及び背側外装体３２の外層シート材３５の延出部３５Ｅは、それぞれ図２に示すように、内層シート材３６側に折り返されており、その折り返しによって相対向したシート３５（３５Ｅ），３６間に、吸収性本体２の縦方向Ｘの端部２ａが配されている。相対向するシート３５（３５Ｅ），３６間は、所定の部位において接着剤（図示せず）によって接合されている。
【００１８】
腹側部Ａ（腹側外装体３１）及び背側部Ｃ（背側外装体３２）それぞれにおけるウエスト部Ｄには、外層シート材３５と内層シート材３６との間に弾性部材３３が伸長状態で固定されていることによって、ウエストギャザーが形成されている。腹側部Ａのウエスト部Ｄの弾性部材３３及び背側部Ｃのウエスト部Ｄの弾性部材３３は、図３に示すように、腹側部Ａ又は背側部Ｃの横方向Ｙの全長に亘って連続的に延びており、その全体に亘って本来有する伸縮性を発現可能になされている。ウエスト部Ｄは、着用者の腰回りに位置する部位であり、通常、おむつ１の縦方向両端部１ａ，１ａ（ウエスト端部）それぞれから該おむつ１の縦方向Ｘの全長の１〜１５％の長さまでの領域である。
【００１９】
また、腹側部Ａ（腹側外装体３１）及び背側部Ｃ（背側外装体３２）それぞれにおける胴回り部Ｅには、外層シート材３５と内層シート材３６との間に弾性部材３３が伸長状態で固定されていることによって、胴回りギャザーが形成されている。腹側部Ａの胴回り部Ｅは、図２に示すようにおむつ１を、その各部の弾性部材を伸長させて平面状に拡げた展開状態とし、腹側部Ａを上側、背側部Ｃを下側と考えた場合に、ウエスト部Ｄよりも下方に位置し且つ股下部Ｂよりも上方に位置する領域である。背側部Ｃの胴回り部Ｅは、おむつ１を図２に示すものとは上下逆にした場合に、腹側部Ａにおける胴回り部Ｅと略同位置にある領域である。
【００２０】
本実施形態においては、腹側部Ａ（腹側外装体３１）の胴回り部Ｅの弾性部材３３は、図３に示すように、吸収性本体２（吸収性コア５）と重なる部分に、該弾性部材３３の伸縮性の発現が抑制された非伸縮部３４を有しており、それによって部分的に伸縮性の発現が抑えられている。腹側部Ａの胴回り部Ｅの弾性部材３３においては、非伸縮部３４は伸縮しないが、非伸縮部３４以外の他の部分（吸収性本体２の横方向Ｙの外方に位置する部分）は伸縮する。従って、腹側部Ａの胴回り部Ｅにおいては、吸収性本体２の配置領域を除く、縦方向Ｘに沿う左右両側部に、一対の胴回りギャザーが形成されている。このように、弾性部材３３が吸収性本体２と重なる部分に非伸縮部３４を有していることにより、吸収性本体２に縦皺を生じさせることなく吸収性本体２の縦方向Ｘの端部を着用者の身体に沿わせることが可能となり、それによって、漏れが効果的に防止されると共に、吸収性本体２に生じた皺の頂部が肌に当たることに起因する跡付き等の不都合が効果的に防止される。非伸縮部３４の形成方法としては、この種の使い捨ておむつにおいて通常用いられている方法を特に制限無く用いることができ、例えば、弾性部材３３を細かく分断して伸縮しないようにする方法、あるいは接着剤等を用いた接合によって弾性部材３３が伸縮しないようにする方法等が挙げられる。
【００２１】
一方、背側部Ｃ（背側外装体３２）の胴回り部Ｅの弾性部材３３は、図３に示すように、腹側部Ａ及び背側部Ｃのウエスト部Ｄの弾性部材３３と同様に、背側部Ｃの本体幅方向Ｙの全長に亘って連続的に延びており、その全体に亘って本来有する伸縮性を発現可能になされている。
【００２２】
本実施形態のおむつ１の主たる特徴の１つとして、図１及び図２に示すように、外装体３における着用者の胴回りに配される部分Ｅ及びウエスト部Ｄに、ウエスト開口部ＷＨからレッグ開口部ＬＨに亘って破断誘導切込み部４が設けられている点が挙げられる。破断誘導切込み部４は、外装体３（外層シート材３５、内層シート材３６）を厚み方向に貫通する複数（３個以上）の孔５が縦方向Ｘに１つの列をなすように配されて形成されている。おむつ１においては、破断誘導切込み部４は、腹側外装体３１及び背側外装体３２それぞれにおける吸収性本体２の横方向Ｙの両外方、即ち、吸収性本体２とサイドシール部Ｓとの間に設けられており、全部で４つ設けられている。本実施形態においてはこのように、破断誘導切込み部は、腹側部Ａ及び背側部Ｃの両方に全部で４つ設けられているが、破断誘導切込み部の配置及び数は特に制限されず、例えば、破断誘導切込み部は腹側部Ａのみに設けられていてもよく、背側部Ｃのみに設けられていてもよい。おむつ１は、通常のおむつと同様に、サイドシール部Ｓにて外装体３を破断可能であり、着用状態においてサイドシール部Ｓを破りこの部分を切り離すことで脱がせられるようになっているが、サイドシール部Ｓとは別に、破断誘導切込み部４を有していることで、おむつ１の破りやすさが向上し、着用状態のおむつ１を着用者から脱がす作業が一層容易に行えるようになる。
【００２３】
図４に示すように、破断誘導切込み部４（図４中点線で囲んだ部分）を形成する複数の孔５は、それぞれ、平面視において鋭角（角度が９０°未満の角）５αを２個以上有する形状をなし、且つ縦方向Ｘに隣接する任意の２個の孔５，５が、一方の鋭角５αと他方の鋭角５αとが近接するように配されることによって、破断誘導切込み部４に鋭角近接部分５０が複数形成されており、その複数の鋭角近接部分５０を結ぶ仮想線Ｌｘが縦方向Ｘに延びる直線（非曲線）である。本実施形態においてはこのように、仮想線Ｌｘは一直線状に延びているが、縦方向Ｘに延びていれば一直線状に延びている必要はなく、例えば千鳥状に配列されて縦方向Ｘに延びていてもよい。仮想線Ｌｘは、破断誘導切込み部４にて外装体３を破断する際の破断線となり得る。おむつ１（外装体３）を破断誘導切込み部４にて破る際には、おむつ１の縦方向端部１ａ（ウエスト端部）における、仮想線Ｌｘを中心としてその横方向Ｙの両側に位置する部分（図４中符号Ｇ１，Ｇ２で示す部分）を手指で摘んで横方向Ｙに引っ張れば良く、斯かる操作によって、破断誘導切込み部４を形成する複数の孔５は、縦方向端部１ａに近い側から順次、仮想線Ｌｘを境界として左右に分裂するように裂け、結果として、おむつ１（外装体３）を仮想線Ｌｘに沿って容易に破くことができる。
【００２４】
本実施形態においては、孔５は、平面視で方向性のある形状、具体的には菱形形状をなし、鋭角５αを２個有している。平面視菱形状の複数の孔５は、それぞれ、２個の鋭角５α，５αを結ぶ対角線（長軸）を縦方向Ｘに一致させて、ウエスト開口部ＷＨからレッグ開口部ＬＨとの間の全長に亘って直線状に配されており、該対角線は、鋭角どうしの近接部分５０を結ぶ仮想線Ｌｘと一致している。鋭角近接部分５０において、一方の鋭角５αと他方の鋭角５αとは相対向している。ここで、「一方の鋭角と他方の鋭角とが相対向している」とは、互いに近接する２個の鋭角それぞれの２等分線（図４では仮想線Ｌｘと一致）が同一直線上にあることを意味する。
【００２５】
互いに近接する一方の孔５の鋭角５αと他方の孔５の鋭角５αとの離間距離Ｔ（図４参照）は、破断誘導切込み部４の使用時（おむつ破断時）にはそこで容易におむつ１を破断することができ、且つ不使用時（おむつ着用時）における破断誘導切込み部４での意図しない破断を防止する観点から、好ましくは１ｍｍ以上、更に好ましくは２ｍｍ以上、そして、好ましくは６ｍｍ以下、更に好ましくは４ｍｍ以下、より具体的には、好ましくは１ｍｍ以上６ｍｍ以下、更に好ましくは２ｍｍ以上４ｍｍ以下である。ここで「近接する」とは、一方の孔５の鋭角５αと他方の孔５の鋭角５αとの離間距離Ｔが、６ｍｍ以下であることをいう。
【００２６】
破断誘導切込み部４の採用は、おむつ１（外装体３）破断性の向上に加えて、破断可能部分の視認性の向上の点でも有利である。即ち、破断誘導切込み部４を形成する孔５は、通常のミシン目状の破断誘導部を形成する孔（平面視において矩形形状、正方形形状、円形状等）とは異なる平面視形状（鋭角を２個以上有する形状）を有し、視認性に優れていておむつ１を外部から見たときに目立つため、必要時にこれをすぐに見つけることができ、着用状態のおむつ１を着用者から脱がす作業が容易になる。
【００２７】
破断誘導切込み部４による前述した作用効果をより確実に奏させるようにする観点から、孔５の寸法は次のように設定することが好ましい。
孔５の縦方向長さ（長軸の長さ）Ｌ１は、好ましくは２ｍｍ以上、更に好ましくは５ｍｍ以上、そして、好ましくは１１ｍｍ以下、更に好ましくは７ｍｍ以下、より具体的には、好ましくは２ｍｍ以上１１ｍｍ以下、更に好ましくは５ｍｍ以上７ｍｍ以下である。
孔５の横方向長さ（短軸の長さ）Ｌ２は、好ましくは１ｍｍ以上、更に好ましくは２ｍｍ以上、そして、好ましくは１１ｍｍ以下、更に好ましくは７ｍｍ以下、より具体的には、好ましくは１ｍｍ以上１１ｍｍ以下、更に好ましくは２ｍｍ以上７ｍｍ以下である。
孔５の鋭角５αは、好ましくは１°以上、より好ましくは５°以上、更に好ましくは１０°以上、そして、好ましくは８９°以下、より好ましくは６０°以下、更に好ましくは４０°以下、より具体的には、好ましくは１°以上８９°以下、更に好ましくは１０°以上４０°以下である。
【００２８】
以下、本発明の他の実施形態について図５〜図１６を参照して説明する。後述する他の実施形態については、前記実施形態と異なる構成部分を主として説明し、同様の構成部分は同一の符号を付して説明を省略する。特に説明しない構成部分は、前記実施形態の説明が適宜適用される。
【００２９】
本発明に係る破断誘導切込み部を形成する孔は、前記実施形態における平面視菱形形状の孔５の如き、平面視において輪郭線が直線のみを含むものに制限されず、図５に示すように、輪郭線が曲線を含むものであっても良い。図５に示す孔５’は、その四辺全てが内側に膨出した曲線である点以外は、平面視菱形形状の孔５と同じであり、平面視で方向性のある形状である略菱形形状をなしている。このような、輪郭線が曲線を含む孔の前記鋭角の測定は、当該鋭角の頂点と、該頂点をなす２本の輪郭線上それぞれにおける該鋭角から１ｍｍ離間した位置の２点とをそれぞれ結ぶ２本の直線どうしがなす角を測定すればよい。
【００３０】
図６（ａ）〜図６（ｃ）に示す破断誘導切込み部４Ａにおいては、孔５Ａは平面視において、星形多角形の一種である六角星（六芒星、星型六角形）形状をなし、平面視で方向性のない形状をなしている。図６（ａ）及び図６（ｂ）に示す形態においては、外装体３を構成する弾性部材３３は、孔５Ａ及び鋭角５αどうしの近接部分５０（互いに近接する鋭角α，αの間）を横方向Ｙに横断していない。外装体３を破断誘導切込み部４Ａで破断する際に、弾性部材３３が図６（ｃ）に示すように、孔５Ａ又は鋭角近接部分５０を横方向Ｙに横断していると、破断性が低下するおそれがある。そこで、外装体３は、図６（ａ）及び図６（ｂ）に示すように、孔５Ａ及び鋭角近接部分５０を横断する弾性部材を含まないことが好ましい。図６（ａ）に示す形態における弾性部材３３は、孔５Ａの縁に達しているのに対し、図６（ｂ）に示す形態における弾性部材３３は、孔５Ａの縁に達しておらず、該弾性部材３３の長さ方向の端部は孔５Ａから横方向Ｙに所定距離離間した位置にある。
【００３１】
図７に示す破断誘導切込み部４Ｂにおいては、孔５Ｂは平面視において、星形多角形の一種である五角星（五芒星、星型五角形）形状をなし、平面視で方向性のある形状をなしている。鋭角近接部分５０において、一方の孔５Ｂの鋭角５αと他方の孔５Ｂの鋭角５αとは相対向しておらず、両鋭角それぞれの２等分線は同一直線上にはない。破断誘導切込み部４Ｂにおいては、複数の鋭角近接部分５０を結ぶ仮想線は、前記実施形態における仮想線Ｌｘ（図４参照）の如き、縦方向Ｘと平行な直線ではなく、縦方向Ｘに延びる波線である。
【００３２】
また、破断誘導切込み部４Ｂにおいて、複数の孔５Ｂは縦方向Ｘに千鳥状に配されている。ここで千鳥状とは、複数の孔５Ｂが縦方向Ｘに等間隔に配置されてなる列が、縦方向Ｘと直交する横方向Ｙに複数列（図７では２列）配置され、且つ横方向Ｙにおいて、隣り合う２列どうしで互いに孔５Ｂがずれている配置をいう。更に詳述すれば、複数の孔５Ｂが縦方向Ｘに等間隔に配置されてなる複数の列を、それぞれ、横方向Ｙに投影したときに、特定の列の各孔５Ｂの投影像の間に、該特定の列と隣り合う別の列の孔５Ｂの投影像が配置される場合、複数の孔５Ｂは千鳥状に配置されていると言える。尚、本発明でいう「千鳥状に配置」には、複数の孔が前記の説明通りに完璧に配置されている形態のみならず、製造上不可避的なずれなど、意図しないわずかな配置のずれが生じている形態も含まれる。
【００３３】
図８（ａ）に示す破断誘導切込み部４Ｃは、鋭角近接部分５０において一方の孔５Ｂの鋭角５αと他方の孔５Ｂの鋭角５αとが相対向している点以外は、図７に示す破断誘導切込み部４Ｂと同じである。また、図８（ｂ）に示す破断誘導切込み部４Ｄは、これを形成する孔５Ｃの平面視形状が三日月形状（平面視で方向性のある形状）をなしている点以外は、図８（ａ）に示す破断誘導切込み部４Ｃと同じであり、破断誘導切込み部４Ｄにおいても、鋭角近接部分５０において一方の孔５Ｃの鋭角５αと他方の孔５Ｃの鋭角５αとが相対向している。
【００３４】
図９に示すおむつ１Ａにおいては、外装体３は、吸収性本体２の縦方向両端部２ａ，２ａそれぞれの周縁から延出する延出部３７を有し、破断誘導切込み部４Ｅは、この延出部３７における、吸収性本体２の縦方向Ｘに沿う両側縁の延長線２Ｌ，２Ｌに挟まれた部分３８から、両延長線２Ｌ，２Ｌを跨いで一対のレッグ開口部ＬＨ，ＬＨ（図１参照）に向かうように横方向Ｙに一対設けられている。延出部３７は、外層シート材３５の延出部３５Ｅ及び内層シート材３６における該延出部３５Ｅに対応する部分（図９に示す如き平面視において延出部３５Ｅと重なる部分）を含んで構成され、他の図では図示していないが、本明細書に記載の他の実施形態のおむつも有している。斯かる構成のおむつ１Ａにおいては、その縦方向端部１ａ（ウエスト端部）における一対の破断誘導切込み部４Ｅ，４Ｅで挟まれた部分が、おむつ１Ａ（外装体３）を破断する際の摘み部として機能する。即ち、おむつ１Ａの着用状態において、腹側部Ａ又は背側部Ｃの斯かる摘み部を手指で摘んで下方（股下部Ｂ側）に引っ張ることにより、腹側部Ａ又は背側部Ｃの外装体３を一対の破断誘導切込み部４Ｅ，４Ｅにて同時に破断することができる。
【００３５】
図１０に示すおむつ１Ｂにおいては、破断誘導切込み部４Ａを形成する孔５Ａの列の横方向Ｙの両外方に、外装体３に接着剤を線状に塗布してなる接着剤塗布部６が、縦方向Ｘに延びるように設けられている。接着剤塗布部６は、外装体３を構成するシート材３５，３６間にホットメルト接着剤を塗布することにより設けられており、接着剤塗布部６においては両シート材３５，３６が接着剤を介して接合している。破断誘導切込み部４Ａにおいては、複数の鋭角近接部分５０を結ぶ仮想線Ｌｘは縦方向Ｘに延びる直線であり、これに沿う接着剤塗布部６も、平面視において縦方向Ｘに延びる直線状をなしている。このように、複数枚のシート材３５，３６が積層されてなる外装体３において、該外装体３に形成された孔５Ａに対してその横方向Ｙの両隣に位置するシート材３５，３６どうしが接着剤塗布部６にて互いに接合されていると、破断誘導切込み部４Ａにて外装体３を破断する際に、シート材３５，３６がずれ難く破断しやすいという効果が奏され、また、おむつ１Ｂの使用中に破断誘導切込み部４Ａにて意図せずに破断してしまう不都合を回避することもできる。更に、破断誘導切込み部４Ａにて外装体３を破断した後の、その破断部からの弾性部材３３の飛び出しを防止することもできる。斯かる効果をより確実に奏させるようにする観点から、線状接着部６の横方向Ｙの長さ（幅）Ｗ１は、好ましくは０．１ｍｍ以上、更に好ましくは０．５ｍｍ以上、そして、好ましくは１０ｍｍ以下、更に好ましくは２ｍｍ以下、より具体的には、好ましくは０．１ｍｍ以上１０ｍｍ以下、更に好ましくは０．５ｍｍ以上２ｍｍ以下である。
【００３６】
図１１に示すおむつ１Ｃにおいては、外装体３における破断誘導切込み部４Ａを形成する複数の孔５Ａそれぞれの周囲に、ホットメルト接着剤等の接着剤が塗布されて接着剤塗布部７が形成されている。接着剤塗布部７は、外装体３を構成するシート材３５，３６間にホットメルト接着剤を塗布することにより設けられており、接着剤塗布部７においては両シート材３５，３６が接着剤を介して接合している。このように、孔５Ａの周囲を接着剤で固定することにより、該周囲の硬度が接着剤の塗布前に比して向上するため、破断誘導切込み部４Ａにて外装体３を破断しやすく、また、おむつ１Ｃの使用中に破断誘導切込み部４Ａにて意図せずに破断してしまう不都合を回避することもできる。斯かる効果をより確実に奏させるようにする観点から、線状接着部７の横方向Ｙの長さ（幅）Ｗ２は、孔５Ａの横方向長さＬ２よりも長く、好ましくは１．２ｍｍ以上、更に好ましくは２．２ｍｍ以上、そして、好ましくは４０ｍｍ以下、更に好ましくは２０ｍｍ以下、より具体的には、好ましくは１．２ｍｍ以上４０ｍｍ以下、更に好ましくは２．２ｍｍ以上２０ｍｍ以下である。
【００３７】
図１２に示すおむつ１Ｄにおいては、外装体３における着用者の胴回りに配される部分Ｅ及びウエスト部Ｄに、横方向Ｙに並列する一対の破断誘導切込み部４Ａ，４Ａに挟まれた切り取り領域８が設けられている。一対の破断誘導切込み部４Ａ，４Ａは、それぞれ、図１２（ａ）に示すように、ウエスト開口部ＷＨとレッグ開口部ＬＨとの間の全長に亘って設けられている。斯かる構成のおむつ１Ｄにおいては、切り取り領域８のウエスト開口部ＷＨ側の縦方向端部が、おむつ１Ａ（外装体３）を破断する際の摘み部として機能する。即ち、おむつ１Ｄの着用状態において、腹側部Ａ又は背側部Ｃの斯かる摘み部を手指で摘んで下方（股下部Ｂ側）に引っ張ることにより、図１２（ｂ）に示すように、腹側部Ａ又は背側部Ｃの外装体３を一対の破断誘導切込み部４Ａ，４Ａにて同時に破断し、切り取り領域８を外装体３から切り離すことができる。切り取り領域８の切り離しを容易にする観点から、切り取り領域８の横方向Ｙの長さ（幅）Ｗ３は、好ましくは１１ｍｍ以上、そして、好ましくは９０ｍｍ以下、更に好ましくは３０ｍｍ以下、より具体的には、好ましくは１１ｍｍ以上９０ｍｍ以下、更に好ましくは１１ｍｍ以上３０ｍｍ以下である。
【００３８】
図１３に示すおむつ１Ｅは、破断誘導切込み部４Ａの長さが異なる以外は図１２に示すおむつ１Ｄと同じである。おむつ１Ｅにおいては、切り取り領域８を挟んで横方向Ｙの両側に配されている一対の破断誘導切込み部４Ａ，４Ａうちの一方（図１３（ａ）において右側の破断誘導切込み部４Ａ）は、ウエスト開口部ＷＨとレッグ開口部ＬＨとの間の全長に亘って設けられているのに対し、他方は、ウエスト開口部ＷＨには達しているものの、レッグ開口部ＬＨには達しておらず、該他方の破断誘導切込み部４Ａのレッグ開口部ＬＨ側への延長線上は、孔５Ａが形成されていない非開孔部８０となっている。そのため、おむつ１Ｅの着用状態において、腹側部Ａ又は背側部Ｃにおける、切り取り領域８のウエスト開口部ＷＨ側の縦方向端部を摘み部として、これを手指で摘んで下方（股下部Ｂ側）に引っ張ると、切り取り領域８は、図１３（ｂ）に示すように、一方の破断誘導切込み部４Ａでは外装体３から完全に切り離されるが、他方の破断誘導切込み部４Ａでは外装体３から切り離されずに非開孔部８０にてこれと繋がったままとなり、切り取り領域８は外装体３から切り離されない。おむつ１Ｄのように、切り取り領域８が外装体３から完全に切り離されてしまうと、その切り離された切り取り領域８はゴミとして廃棄されることになるが、おむつ１Ｅは、このように、切り取り領域８を切り離さずに外装体３を破断することができ、外装体３の破断に伴うゴミを出さないという利点を有する。
【００３９】
図１４に示すおむつ１Ｆにおいては、切り取り領域８にサイドシール部Ｓが存している点以外は図１２に示すおむつ１Ｄと同じである。斯かる構成により、従来のようなサイドシール部Ｓでの外装体３の破断に比して一層容易にサイドシール部Ｓの近傍にて外装体３を破断することが可能となる。
【００４０】
図１５に示すおむつ１Ｇ及び図１６に示すおむつ１Ｈにおいては、それぞれ、切り取り領域８の縦方向端部又はその近傍に、該領域８を手指で引っ張る際に摘み部として機能する部材が設けられている。おむつ１Ｇにおいては、図１５（ａ）に示すように、その縦方向端部１ａ（ウエスト端部）における、切り取り領域８のウエスト開口部ＷＨ側の縦方向端部に相当する部分が、周辺部よりも縦方向Ｘの外方に突出して突出部８１を形成しており、この突出部８１が、図１５（ｂ）に示すように前記摘み部として機能する。突出部８１は、このように外装体３（外層シート材３５及び／又は内層シート材３６）の一部から構成されていなくても良く、外装体３とは別部材から構成されていても良い。また、図示していないが、突出部８１は、切り取り領域８のウエスト開口部ＷＨ側の縦方向端部又はその近傍が周辺部よりも厚み方向外方（外装体３の非肌対向面側）に突出して形成された、突起であっても良く、あるいは、切り取り領域８のウエスト開口部ＷＨ側の縦方向端部又はその近傍の外面（外層シート材３５の非肌対向面）に取り付けられた、外装体３とは別部材の突起であっても良い。
【００４１】
図１６に示すおむつ１Ｈにおいては、切り取り領域８のウエスト開口部ＷＨ側の縦方向端部の外面（外層シート材３５の非肌対向面）に廃棄テープ８２が取り付けられており、この廃棄テープ８２が前記摘み部として機能する。廃棄テープ８２は、従来生理用ナプキン等の吸収性物品の個装体において吸収性物品を包む包装材の封止テープとして使用されているものと同様に構成されており、不使用時には、図１６（ａ）に示すように、廃棄テープ８２の長手方向に折り畳まれ、該廃棄テープ８２が有する止着剤（感圧式粘着剤等）によってその折り畳まれた状態を維持したまま、おむつ１Ｈの外装体３に固定されており、使用時には、図１６（ｂ）に示すように、該廃棄テープ８２の先端部を手指で摘んで引っ張ることで展開状態となり、前記摘み部として機能する。
【００４２】
以上、本発明の実施形態について説明したが、本発明は前記実施形態に制限されず、適宜変更可能である。例えば、前記実施形態においては、外装体３が腹側外装体３１と背側外装体３２とに分割されており、吸収性本体２が両シート部材３１，３２に架け渡して固定されていたが、本発明のパンツ型着用物品は、斯かる構成に限定されず、例えば、外装体が、腹側部と背側部とで分割されずに、腹側部、股下部及び背側部に亘る砂時計状等の外装体であっても良い。また前記実施形態においては、腹側部Ａ（腹側外装体３１）の胴回り部Ｅの弾性部材３３は、吸収性本体２と重なる部分に、該弾性部材３３の伸縮性の発現が抑制された非伸縮部３４を有していたが、背側部Ｂ（背側外装体３２）の胴回り部Ｅの弾性部材３３と同様に、非伸縮部３４を有さずに、腹側部Ａの横方向Ｙの全長に亘って連続的に延び、その全体に亘って本来有する伸縮性を発現可能になされていても良い。また前記実施形態は、本発明をパンツ型使い捨ておむつに適用した例であるが、本発明はこれ以外の着用物品、例えばショーツ型生理用ナプキン等にも同様に適用できる。前述した一の実施形態のみが有する部分は、すべて適宜相互に利用できる。前述した本発明の実施形態に関し、更に以下の付記を開示する。
【００４３】
＜１＞
着用者の腹側に配される腹側部及び背側に配される背側部とそれらの間に位置する股下部とを有すると共に、該腹側部から該股下部を介して該背側部に延びる縦方向とこれに直交する横方向とを有し、且つ
吸収性本体と、該吸収性本体の非肌対向面側に配されて該吸収性本体を固定している外装体とを備え、該外装体における前記腹側部を構成する腹側外装体及び前記背側部を構成する背側外装体それぞれの縦方向に沿う両側縁部どうしが接合されて、一対のサイドシール部、ウエスト開口部及び一対のレッグ開口部が形成されているパンツ型着用物品であって、
前記外装体における着用者の胴回りに配される部分に、前記ウエスト開口部から前記レッグ開口部に亘って破断誘導切込み部が設けられており、該破断誘導切込み部は、該外装体を厚み方向に貫通する複数の孔が縦方向に１つの列をなすように配されて形成されており、
複数の前記孔は、それぞれ、平面視において鋭角を２個以上有する形状をなし、且つ縦方向に隣接する任意の２個の前記孔が、一方の鋭角と他方の鋭角とが近接するように配されることによって、前記破断誘導切込み部に鋭角どうしの近接部分が複数形成されており、その複数の鋭角どうしの近接部分を結ぶ仮想線が縦方向に延びているパンツ型着用物品。
＜２＞
前記鋭角どうしの近接部分において、一方の鋭角と他方の鋭角とが相対向している前記＜１＞記載のパンツ型着用物品。
【００４４】
＜３＞
前記孔の縦方向長さ（長軸の長さ）Ｌ１は、好ましくは２ｍｍ以上、更に好ましくは５ｍｍ以上、そして、好ましくは１１ｍｍ以下、更に好ましくは７ｍｍ以下である前記＜１＞又は＜２＞記載のパンツ型着用物品。
＜４＞
前記孔の横方向長さ（短軸の長さ）Ｌ２は、好ましくは１ｍｍ以上、更に好ましくは２ｍｍ以上、そして、好ましくは１１ｍｍ以下、更に好ましくは７ｍｍ以下である前記＜１＞〜＜３＞の何れか一項に記載のパンツ型着用物品。
＜５＞
前記孔の鋭角は、好ましくは１°以上、より好ましくは５°以上、更に好ましくは１０°以上、そして、好ましくは８９°以下、より好ましくは６０°以下、更に好ましくは４０°以下である前記＜１＞〜＜４＞の何れか一項に記載のパンツ型着用物品。
＜６＞
前記複数の孔が、菱形形状をなしている、又は星形多角形の一種である六角星（六芒星、星型六角形）形状をなしている前記＜１＞〜＜５＞の何れか一項に記載のパンツ型着用物品。
＜７＞
前記外装体は、前記孔及び前記鋭角どうしの近接部分を横断する弾性部材を含まない前記＜１＞〜＜６＞の何れか一項に記載のパンツ型着用物品。
＜８＞
前記仮想線は縦方向に一直線状に延びている前記＜１＞〜＜７＞の何れか一項に記載のパンツ型着用物品。
【００４５】
＜９＞
複数の前記孔は縦方向に千鳥状に配されている前記＜１＞〜＜８＞の何れか一項に記載のパンツ型着用物品。
＜１０＞
前記腹側外装体は、前記吸収性本体の縦方向端部の周縁から延出する延出部を有し、前記破断誘導切込み部は、該延出部における、該吸収性本体の縦方向に沿う両側縁の延長線に挟まれた部分から、両延長線を跨いで一対の前記レッグ開口部に向かうように横方向に一対設けられている前記＜１＞〜＜９＞の何れか一項に記載のパンツ型着用物品。
【００４６】
＜１１＞
前記破断誘導切込み部を形成する前記孔の列の横方向の両外方に、前記外装体に接着剤を線状に塗布してなる接着剤塗布部が、縦方向に延びるように設けられている前記＜１＞〜＜１０＞の何れか一項に記載のパンツ型着用物品。
＜１２＞
前記線状に塗布してなる接着剤塗布部の横方向の長さ（幅）Ｗ１は、好ましくは０．１ｍｍ以上、更に好ましくは０．５ｍｍ以上、そして、好ましくは１０ｍｍ以下、更に好ましくは２ｍｍ以下である前記＜１１＞記載のパンツ型着用物品。
【００４７】
＜１３＞
前記外装体における複数の前記孔の周囲に接着剤が塗布されている前記＜１＞〜＜１０＞の何れか一項に記載のパンツ型着用物品。
＜１４＞
前記接着部の塗布部の横方向の長さ（幅）Ｗ２は、前記孔の横方向長さＬ２よりも長く、好ましくは１．２ｍｍ以上、更に好ましくは２．２ｍｍ以上、そして、好ましくは４０ｍｍ以下、更に好ましくは２０ｍｍ以下である前記＜１３＞記載のパンツ型着用物品。
【００４８】
＜１５＞
前記外装体における着用者の胴回りに配される部分に、横方向に並列する一対の前記破断誘導切込み部に挟まれた切り取り領域が設けられており、該切り取り領域の縦方向端部を手指で摘んで引っ張ることにより、該切り取り領域を該外装体から切り離し可能になされている前記＜１＞〜＜１４＞の何れか一項に記載のパンツ型着用物品。
＜１６＞
前記切り取り領域の横方向の長さ（幅）Ｗ３は、好ましくは１１ｍｍ以上、そして、好ましくは９０ｍｍ以下、更に好ましくは３０ｍｍ以下である前記＜１５＞記載のパンツ型着用物品。
＜１７＞
一対の前記破断誘導切込み部のうちの一方は、前記ウエスト開口部と前記レッグ開口部との間の全長に亘って設けられているが、他方は、該ウエスト開口部及び該レッグ開口部の何れか一方に達していない前記＜１５＞又は＜１６＞記載のパンツ型着用物品。
＜１８＞
前記切り取り領域に前記サイドシール部が存している前記＜１５＞〜＜１７＞の何れか一項に記載のパンツ型着用物品。
【００４９】
＜１９＞
前記切り取り領域の縦方向端部又はその近傍に、該領域を手指で引っ張る際に摘み部として機能する部材が設けられている前記＜１５＞〜＜１８＞の何れか一項に記載のパンツ型着用物品。
＜２０＞
前記切り取り領域の前記ウエスト開口部側の縦方向端部に相当する部分が、周辺部よりも縦方向の外方に突出して突出部を形成しており、該突出部が前記摘み部として機能し、該突出部は、前記外装体（外層シート材及び／又は内層シート材）の一部から構成されている前記＜１９＞記載のパンツ型着用物品。
＜２１＞
前記切り取り領域の前記ウエスト開口部側の縦方向端部に相当する部分が、周辺部よりも縦方向の外方に突出して突出部を形成しており、該突出部が前記摘み部として機能し、該突出部は、前記外装体（外層シート材及び／又は内層シート材）とは別部材から構成されている前記＜１９＞記載のパンツ型着用物品。
＜２２＞
前記切り取り領域の前記ウエスト開口部側の縦方向端部の外面（外層シート材の非肌対向面）に廃棄テープが取り付けられており、該廃棄テープが前記摘み部として機能する前記＜１９＞記載のパンツ型着用物品。
【００５０】
＜２３＞
前記破断誘導切込み部は、前記腹側外装体及び前記背側外装体それぞれにおける前記吸収性本体の横方向の両外方（前記吸収性本体と前記サイドシール部との間）に設けられており、全部で４つ設けられている前記＜１＞〜＜２２＞の何れか一項に記載のパンツ型着用物品。
＜２４＞
前記孔は、平面視においてその輪郭線が曲線を含み、より具体的には、平面視において四辺を有する形状をなし且つその四辺全てが内側に膨出した曲線である前記＜１＞〜＜２３＞の何れか一項に記載のパンツ型着用物品。
【符号の説明】
【００５１】
１，１Ａ，１Ｂ，１Ｃ，１Ｄ，１Ｅ，１Ｆ，１Ｇ，１Ｈ  パンツ型使い捨ておむつ（パンツ型着用物品）
２  吸収性本体
２１  表面シート
２２  裏面シート
２３  吸収体
３  外装体
３１  腹側外装体
３２  背側外装体
３３  外包体形成用弾性部材
３５  外層シート材
３６  内層シート材
４，４Ａ，４Ｂ，４Ｃ，４Ｄ，４Ｄ  破断誘導切込み部
５，５’，５Ａ，５Ｂ，５Ｃ  孔
５α  孔の鋭角
６，７  接着剤塗布部
８  切り取り領域
８１  突出部（摘み部）
８２  廃棄テープ（摘み部）
Ａ  腹側部
Ｂ  股下部
Ｃ  背側部
Ｄ  ウエスト部
Ｅ  胴周り部
Ｘ  縦方向
Ｙ  横方向
【図１】
2015092957.tif 000003
【図２】
2015092957.tif 000004
【図３】
2015092957.tif 000005
【図４】
2015092957.tif 000006
【図５】
2015092957.tif 000007
【図６】
2015092957.tif 000008
【図７】
2015092957.tif 000009
【図８】
2015092957.tif 000010
【図９】
2015092957.tif 000011
【図１０】
2015092957.tif 000012
【図１１】
2015092957.tif 000013
【図１２】
2015092957.tif 000014
【図１３】
2015092957.tif 000015
【図１４】
2015092957.tif 000016
【図１５】
2015092957.tif 000017
【図１６】
2015092957.tif 000018